【手続補正書】
【提出日】平成24年11月14日(2012.11.14)
【手続補正１】
【補正対象書類名】明細書
【補正対象項目名】発明の名称
【補正方法】変更
【補正の内容】
【発明の名称】撮影システム，撮影機器，カメラシステム
【手続補正２】
【補正対象書類名】明細書
【補正対象項目名】０００１
【補正方法】変更
【補正の内容】
【０００１】
この発明は、画像を撮影する撮影機器とこの撮影機器に装着して該撮影機器の撮影機能を拡張するアクセサリ機器とからなる撮影システム及びカメラシステムと、これに用いられる撮影機器に関するものである。
【手続補正３】
【補正対象書類名】明細書
【補正対象項目名】００１５
【補正方法】変更
【補正の内容】
【００１５】
本発明は、上述した点に鑑みてなされたものであって、その目的とするところは、画像を撮影するカメラ（撮影機器）とこのカメラに装着することで撮影機能を拡張し得るアクセサリ機器とからなるカメラシステムにおいて、撮影動作の際に表示画面上で所望の撮影位置を容易に指定し得るようなわかりやすい表示を行うと共に、所望の撮影位置を含む範囲の撮影を簡単な操作でかつ確実に行い得る撮影システム及びカメラシステムと、これに用いられる撮影機器を提供することである。
【手続補正４】
【補正対象書類名】明細書
【補正対象項目名】００１６
【補正方法】変更
【補正の内容】
【００１６】
上記目的を達成するために、本発明の一態様の撮影システムは、第１の撮影機器と第２の撮影機器とからなる撮影システムにおいて、上記第２の機器は、上記第１の撮影機器の撮影可能領域を示す信号を取得して表示する表示部と、上記第１の機器の撮影位置を上記表示部上で指定して位置指定信号を出力するための位置指定部を具備し、上記第１の機器は、上記位置指定信号を受信して撮影領域を決定する撮影領域切換え部を具備する。
本発明の一態様の撮影機器は、主撮影部と上記主撮影部により得られる撮影視野範囲よりも広い視野範囲を撮像し得る副撮影部とを具備する撮影機器において、上記主撮影部によって取得された画像と上記副撮影部によって取得された広視野画像とに基いて合成画像を生成する信号処理部と、上記信号処理部によって生成された合成画像を表示する表示部と、上記表示部に表示された上記合成画像への位置指定信号を出力するための位置指定部と、上記位置指定部から出力される位置指定信号に基いて指定位置演算を行う指定信号演算部とを具備し、上記指定信号演算部の演算結果に基いて撮影領域を決定する。
本発明の一態様のカメラシステムは、第１カメラとこの第１カメラに装着されるアクセサリ機器とからなるカメラシステムにおいて、上記第１カメラにより得られる撮影視野範囲よりも広い視野範囲を撮像し得るサブカメラユニットと該カメラシステムを保持し上記第１カメラの撮影レンズの光軸に対して直交する軸を中心として上記第１カメラを水平方向に回動させる旋回制御部と上記第１カメラとの間で通信を行う通信ユニットとを具備し上記第１カメラに着脱自在に構成されたアクセサリ機器と、上記第１カメラによって取得された画像と上記サブカメラユニットによって取得された広視野画像とに基く合成画像を表示する表示部と上記表示部に表示された上記合成画像への位置指定信号に基いて指定位置演算を行う指定信号演算部とを具備する第１カメラとを具備し、上記旋回制御部は上記指定信号演算部の演算結果に基いて上記第１カメラの回動量を制御する。
【手続補正５】
【補正対象書類名】明細書
【補正対象項目名】００１７
【補正方法】変更
【補正の内容】
【００１７】
本発明によれば、画像を撮影するカメラ（撮影機器）とこのカメラに装着することで撮影機能を拡張し得るアクセサリ機器とからなるカメラシステムにおいて、撮影動作の際に所望の撮影位置を表示画面上で容易に指定し得るようなわかりやすい表示を行うと共に、所望の撮影位置を含む範囲の撮影を簡単な操作でかつ確実に行い得る撮影システム及びカメラシステムと、これに用いられる撮影機器を提供することができる。
【手続補正６】
【補正対象書類名】特許請求の範囲
【補正対象項目名】全文
【補正方法】変更
【補正の内容】
【特許請求の範囲】
【請求項１】
第１の撮影機器と第２の撮影機器とからなる撮影システムにおいて、
上記第２の機器は、
上記第１の撮影機器の撮影可能領域を示す信号を取得して表示する表示部と、
上記第１の機器の撮影位置を上記表示部上で指定して位置指定信号を出力するための位置指定部を具備し、
上記第１の機器は、
上記位置指定信号を受信して撮影領域を決定する撮影領域切換え部を具備することを特徴とする撮影システム。
【請求項２】
主撮影部と、上記主撮影部により得られる撮影視野範囲よりも広い視野範囲を撮像し得る副撮影部と、を具備する撮影機器において、
上記主撮影部によって取得された画像と上記副撮影部によって取得された広視野画像とに基いて合成画像を生成する信号処理部と、
上記信号処理部によって生成された合成画像を表示する表示部と、
上記表示部に表示された上記合成画像への位置指定信号を出力するための位置指定部と、
上記位置指定部から出力される位置指定信号に基いて指定位置演算を行う指定信号演算部と、
を具備し、
上記指定信号演算部の演算結果に基いて撮影領域を決定することを特徴とする撮影機器。
【請求項３】
上記撮影機器を回動させる旋回制御部を、さらに、具備し、
上記旋回制御部は、上記指定信号演算部の演算結果に基づいて、上記撮影機器の回動制御を行うことを特徴とする請求項２に記載の撮影機器。
【請求項４】
上記撮影機器は、上記表示部に表示された上記合成画像への位置指定信号に基いて上記旋回制御時の回転方向を、決定する決定部を有することを特徴とする請求項３に記載の撮影機器。
【請求項５】
第１カメラと、この第１カメラに装着されるアクセサリ機器とからなるカメラシステムにおいて、
上記第１カメラにより得られる撮影視野範囲よりも広い視野範囲を撮像し得るサブカメラユニットと、該カメラシステムを保持し上記第１カメラの撮影レンズの光軸に対して直交する軸を中心として上記第１カメラを水平方向に回動させる旋回制御部と、上記第１カメラとの間で通信を行う通信ユニットとを具備し上記第１カメラに着脱自在に構成されたアクセサリ機器と、
上記第１カメラによって取得された画像と上記サブカメラユニットによって取得された広視野画像とに基く合成画像を表示する表示部と、上記表示部に表示された上記合成画像への位置指定信号に基いて指定位置演算を行う指定信号演算部とを具備する第１カメラと、
を具備し、
上記旋回制御部は、上記指定信号演算部の演算結果に基いて上記第１カメラの回動量を制御することを特徴とするカメラシステム。
【請求項６】
上記カメラシステムは、さらに、第２無線通信部と画像表示部とを有する外部機器を具備すると共に、
上記通信ユニットは、上記外部機器との間で無線通信を行う第１無線通信部を、さらに具備してなり、
上記外部機器は、上記第１無線通信部と上記第２無線通信部との無線通信により転送された上記サブカメラユニットの広視野画像信号を受信して、この広視野画像信号に基く画像を上記画像表示部に表示することを特徴とする請求項５に記載のカメラシステム。
【請求項７】
上記第１カメラは、タッチパネル又はカーソル制御による表示制御部を具備し、
上記指定信号演算部は、上記表示制御部からの位置指定信号に基いて指定位置演算を行うことを特徴とする請求項５に記載のカメラシステム。
【請求項８】
上記外部機器は、タッチパネル又はカーソル制御による表示制御部を具備し、
上記指定信号演算部は、上記表示制御部からの位置指定信号に基いて指定位置演算を行うことを特徴とする請求項６に記載のカメラシステム。